(57)【特許請求の範囲】
【請求項１】
エアバッグをインフレータより発生するガス圧で膨張展開可能に折り畳んで組み付けたエアバッグ装置を備え、このエアバッグ装置をシートバックの内部でシートバックフレームのサイド部に取付け装備するエアバッグ装置装備シートにおいて、
シートバックボードを両サイド部と中央部とに分けて分割形成すると共に、該両サイド部を対称形状に形成し、エアバッグ装置装備側のサイド部をエアバッグリッドとしてエアバッグの膨張圧で開放可能に取り付けると共に、各分割形成した両サイド部と中央部とからシートバックボードを組み立てたことを特徴とするエアバッグ装置装備シート。
【発明の詳細な説明】
【０００１】
【発明の属する技術分野】
本発明は、エアバッグをインフレータより発生するガス圧で膨張展開可能に折り畳んで組み付けたエアバッグ装置を備え、このエアバッグ装置をシートバックの内部でシートバックフレームのサイド部に取付け装備するエアバッグ装置装備シートの改良に関するものである。
【０００２】
【従来の技術】
従来、エアバッグ装置装備シートとしては、エアバッグ装置をシートバックの内部でシートバックフレームのサイド部に取付け装備する内蔵タイプのものと、エアバッグ装置をシートバックの外部に装備する外付けタイプのものとがある。
【０００３】
そのうち、内蔵タイプのものはエアバッグ装置に対応するエアバッグリッドをシートバックの側部に開放可能に取り付け、または、エアバッグリッドを取り付けずにシート表皮の縫い合わせ部をエアバッグの膨張展開に伴う破断部として形成することにより構成されている。
【０００４】
然し、エアバッグ装置に対応するエアバッグリッドをシートバックの側部に個別に取り付ける場合、または、エアバッグリッドを取り付けずにシート表皮の縫い合わせ部をエアバッグの膨張展開に伴う破断部として形成する場合のいずれにしても、エアバッグリッドを取り付けるシート表皮の開口部における端末処理やエアバッグの膨張展開に伴う破断部とするシート表皮の縫い合わせ処理等の面倒な手間を要する。
【０００５】
また、エアバッグ装置をシートバックの外部に装備する外付けタイプのものではエアバッグ装置の取付けスペースや意匠性等の外観的な観点から問題がある。
【０００６】
それに加えて、エアバッグ装置装備シートはメーカーや車種，シートの種類に応じて多種多様に構成されており、それは構造的に標準化乃至は汎用化できない。
【０００７】
【発明が解決しようとする課題】
本発明は、通常のシート形態を変えないで構造的に標準化乃至は汎用化可能な構成を採用するエアバッグ装置装備シートを提供することを目的とする。
【０００８】
【課題を解決するための手段】
本発明に係るエアバッグ装置装備シートにおいては、エアバッグをインフレータより発生するガス圧で膨張展開可能に折り畳んで組み付けたエアバッグ装置を備え、このエアバッグ装置をシートバックの内部でシートバックフレームのサイド部に取付け装備するもので、シートバックボードを両サイド部と中央部とに分けて分割形成すると共に、該両サイド部を対称形状に形成し、エアバッグ装置装備側のサイド部をエアバッグリッドとしてエアバッグの膨張圧で開放可能に取り付けると共に、各分割形成した両サイド部と中央部とからシートバックボードを組み立てることにより構成されている。
【０００９】
【発明の実施の形態】
以下、添付図面を参照して説明すると、図１で示すシートはアシスタントシートでエアバッグ装置１をシートバックＢの左サイド部に装備することにより構成されている。
【００１０】
そのシートバックＢは、シートバックボード２をサイド部２ａ，２ｂと中央部２ｃとに分けて分割形成すると共に、両サイド部２ａ，２ｂを対称形状に形成し、エアバッグ装置１を装備する側のサイド部２ａをエアバッグリッドとしてエアバッグの膨張圧で開放可能に取り付けると共に、各分割形成した両サイド部２ａ，２ｂと中央部２ｃとからシートバックボード２を組み立てることにより構成されている。
【００１１】
そのシートバッグＢにおいては、図２で示すようにシート表皮３のサイドカバー３ａを端末に取り付けたフック状のトリムコード３ｂでシートサイドフレーム４の端部に掛け止めて端末止着することにより、エアバッグ装置１の収容空間を設ける。エアバッグ装置１は、エアバッグ１０をインフレータ１１より発生するガス圧で膨張展開可能に折り畳んで組み付ける。
【００１２】
エアバッグ装置１は、特に図示しないエアバッグケースで収容することにより装備できる。また、エアバッグケースの構成部材としてロアプレート１２並びにインナーリッド１３を備えて組み立てられる。
【００１３】
そのエアバッグ装置１を装備するには、図３で示すようにインナーリッド１３の内端部とロアプレート１２と共に、エアバッグ１０をインフレータ１１より発生するガス圧で膨張展開可能に折り畳んで組み付けたエアバッグ装置１を締付けボルト１４でシートサイドフレーム４に取付け固定する。
【００１４】
そのエアバッグ装置１は、シートバックボード２のサイド部２ａをエアバッグリッドとし、サイド部２ａの開放端をインナーリッド１３の端部と掛止め係止すると共に、他端部を締付けボルト１５でシートサイドフレーム４に取付け固定することによりエアバッグ１０の膨張圧で開放できるようシートバックボード２のサイド部２ａを取り付け、また、各分割形成した両サイド部２ａ，２ｂと中央部２ｃとからシートバックボード２を組み立てることにより装備できる。
【００１５】
このように構成するエアバッグ装置装備シートでは、シートバックＢの構成部材であるシートバックボード２をサイド部２ａ，２ｂと中央部２ｃとに分けて分割形成すると共に、両サイド部２ａ，２ｂを対称形状に形成し、サイド部２ａをエアバッグリッドとしてエアバッグ装置１を装備するため、通常のシート形態を変えないで構造的に共通化乃至は汎用化できるよう構成できる。
【００１６】
また、両サイド部２ａ，２ｂを対称形状に形成するため、エアバッグ装置１をいずれか片側のサイド部にまたは両サイド部に装備しても、通常のシート形態を変えないで構造的に共通化乃至は汎用化できるよう構成できる。
【００１７】
【発明の効果】
以上の如く、本発明に係るエアバッグ装置装備シートに依れば、シートバックボードを両サイド部と中央部とに分けて分割形成すると共に、両サイド部を対称形状に形成し、エアバッグ装置装備側のサイド部をエアバッグリッドとしてエアバッグの膨張圧で開放可能に取り付け、各分割形成した両サイド部と中央部とからシートバックボードを組み立てることにより、最低限必要な構成部材で組み立てられ、また、手間を掛けずに通常のシート形態を変えないで構造的に共通化乃至は汎用化可能に構成することができる。
【図面の簡単な説明】
【図１】  本発明に係るエアバッグ装置を装備する自動車用シートのシートバックを示す斜視図である。
【図２】  本発明に係るシートに装備するエアバッグ装置の各部を展開させて示す斜視図である。
【図３】    本発明に係るエアバッグ装置を装備する自動車用シートのシートバックを示す断面図である。
【符号の説明】
１                エアバッグ装置
２                シートバックボード
２ａ，２ｂ        シートバックボードのサイド部
２ｃ              シートバックボードの中央部
３                シート表皮
４                シートバックフレームのサイド部
１０              エアバッグ
１１              インフレータ
【図１】
0004465511.tif 000002
【図２】
0004465511.tif 000003
【図３】
0004465511.tif 000004